【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
第1の目標復号エラーレートおよび第1の目標レイテンシ値を有する第1のワイヤレスサービスと、前記第1の目標復号エラーレートより高い第2の目標復号エラーレートまたは前記第1の目標レイテンシ値より高い第2の目標レイテンシ値を有する第2のワイヤレスサービスとをサポートする、システムにおけるワイヤレス通信のための方法であって、
前記第1のワイヤレスサービスの前記第1の目標復号エラーレートまたは前記第1の目標レイテンシ値に少なくとも一部基づいてリソースを選択することによって、前記第1のワイヤレスサービスのためにユーザ機器(UE)へ割り当てるためのリソースを特定するステップであって、前記第1のワイヤレスサービスおよび前記第2のワイヤレスサービスが、同じ時間長の送信時間間隔(TTI)を有する、ステップと、
前記TTIのうちの1つの間に、前記第1のワイヤレスサービスのための前記リソースを前記UEに割り当てる制御メッセージを送信するステップとを備える、方法。
【請求項２】
前記第1のワイヤレスサービスのために前記UEを構成する無線リソース制御(RRC)シグナリングを前記UEに送信するステップをさらに備え、前記制御メッセージが、前記第1のワイヤレスサービスのために前記UEを構成したことに少なくとも一部基づいて送信される、請求項1に記載の方法。
【請求項３】
前記制御メッセージが、第1の無線ネットワーク一時識別子(RNTI)、第1のダウンリンク制御情報(DCI)フォーマット、第1のDCI指示、制御復号候補の第1のセット、第1の準静的な構成、または、前記割り当てられたリソースが前記第1のワイヤレスサービスと関連付けられることを示すこれらの任意の組合せのうちの少なくとも1つを備える、請求項1に記載の方法。
【請求項４】
少なくとも前記制御メッセージに応答し、空間的なバンドル化、時間領域のバンドル化、または周波数領域のバンドル化のうちの少なくとも1つを用いて送信される肯定応答(ACK)メッセージまたは否定応答(NACK)メッセージを備える、フィードバックメッセージを前記UEから受信するステップをさらに備える、請求項1に記載の方法。
【請求項５】
前記第1のワイヤレスサービスと関連付けられるチャネル状態情報(CSI)フィードバックの第1のセットを前記UEから受信するステップであって、CSIフィードバックの前記第1のセットが前記フィードバックメッセージに含まれる、ステップと、
前記第2のワイヤレスサービスと関連付けられるCSIフィードバックの第2のセットを前記UEから受信するステップであって、CSIフィードバックの前記第2のセットが、前記第2のワイヤレスサービスと関連付けられる第2のフィードバックメッセージに含まれ、前記第2のフィードバックメッセージが、第2のACKメッセージまたは第2のNACKメッセージを備える、ステップとをさらに備える、請求項4に記載の方法。
【請求項６】
前記第1のワイヤレスサービスと関連付けられる物理アップリンク共有チャネル(PUSCH)メッセージとアップリンク制御情報(UCI)を抱き合わせにするために使用されるべきオフセットの第1のセットの第1の指示を前記UEに送信するステップと、
前記第2のワイヤレスサービスと関連付けられる第2のPUSCHメッセージとUCIを抱き合わせにするために使用されるべきオフセットの第2のセットの第2の指示を前記UEに送信するステップとをさらに備える、請求項1に記載の方法。
【請求項７】
第1の目標復号エラーレートおよび第1の目標レイテンシ値を有する第1のワイヤレスサービスと、前記第1の目標復号エラーレートより高い第2の目標復号エラーレートまたは前記第1の目標レイテンシ値より高い第2の目標レイテンシ値を有する第2のワイヤレスサービスとをサポートする、システムにおけるワイヤレス通信のための方法であって、
ユーザ機器(UE)において第1の送信時間間隔(TTI)の間に、基地局から制御メッセージを受信するステップであって、前記第1のワイヤレスサービスおよび前記第2のワイヤレスサービスが、同じ時間長のTTIを有する、ステップと、
前記制御メッセージに少なくとも一部基づいて、前記第1のワイヤレスサービスのために割り当てられるリソースを決定するステップと、
前記第1のワイヤレスサービスの前記第1の目標復号エラーレートまたは前記第1の目標レイテンシ値に少なくとも一部基づいて、前記第1のワイヤレスサービスのために割り当てられる前記リソースを使用して、前記第1のTTIの間にデータを受信し、または第2のTTIの間にデータを送信するステップとを備える、方法。
【請求項８】
前記第1のワイヤレスサービスのためのリソース割当てを監視するための構成を用いて前記UEを構成する無線リソース制御(RRC)シグナリングを受信するステップをさらに備え、前記制御メッセージが前記RRCシグナリングを受信したことに少なくとも一部基づいて受信される、請求項7に記載の方法。
【請求項９】
前記第2のワイヤレスサービスのための第2のリソース割当てを監視するための第2の構成を用いて前記UEを構成するRRCシグナリングを受信するステップをさらに備える、請求項8に記載の方法。
【請求項１０】
前記UEの前記構成が、前記UEのためのタイミングアドバンスまたはトランスポートブロックサイズ(TBS)制限に少なくとも一部基づく、請求項8に記載の方法。
【請求項１１】
前記制御メッセージが、無線ネットワーク一時識別子(RNTI)、ダウンリンク制御情報(DCI)フォーマット、DCI指示、制御候補のセット、準静的な構成、または、前記割り当てられたリソースが前記第1のワイヤレスサービスと関連付けられることを示すこれらの任意の組合せのうちの少なくとも1つを備える、請求項7に記載の方法。
【請求項１２】
物理アップリンク共有チャネル(PUSCH)メッセージとアップリンク制御情報(UCI)を抱き合わせにするために使用されるべきオフセットの第1のセットの第1の指示を受信するステップをさらに備え、前記PUSCHメッセージが前記第1のワイヤレスサービスと関連付けられる、請求項7に記載の方法。
【請求項１３】
第1の目標復号エラーレートおよび第1の目標レイテンシ値を有する第1のワイヤレスサービスと、前記第1の目標復号エラーレートより高い第2の目標復号エラーレートまたは前記第1の目標レイテンシ値より高い第2の目標レイテンシ値を有する第2のワイヤレスサービスとをサポートする、システムにおけるワイヤレス通信のための装置であって、
前記第1のワイヤレスサービスの前記第1の目標復号エラーレートまたは前記第1の目標レイテンシ値に少なくとも一部基づいてリソースを選択することによって、前記第1のワイヤレスサービスのためにユーザ機器(UE)へ割り当てるためのリソースを特定するための手段であって、前記第1のワイヤレスサービスおよび前記第2のワイヤレスサービスが、同じ時間長の送信時間間隔(TTI)を有する、手段と、
前記TTIのうちの1つの間に、前記第1のワイヤレスサービスのための前記リソースを前記UEに割り当てる制御メッセージを送信するための手段とを備える、装置。
【請求項１４】
第1の目標復号エラーレートおよび第1の目標レイテンシ値を有する第1のワイヤレスサービスと、前記第1の目標復号エラーレートより高い第2の目標復号エラーレートまたは前記第1の目標レイテンシ値より高い第2の目標レイテンシ値を有する第2のワイヤレスサービスとをサポートする、システムにおけるワイヤレス通信のための装置であって、
ユーザ機器(UE)において第1の送信時間間隔(TTI)の間に、基地局から制御メッセージを受信するための手段であって、前記第1のワイヤレスサービスおよび前記第2のワイヤレスサービスが、同じ時間長のTTIを有する、手段と、
前記制御メッセージに少なくとも一部基づいて、前記第1のワイヤレスサービスのために割り当てられるリソースを決定するための手段と、
前記第1のワイヤレスサービスの前記第1の目標復号エラーレートまたは前記第1の目標レイテンシ値に少なくとも一部基づいて、前記第1のワイヤレスサービスのために割り当てられる前記リソースを使用して、前記第1のTTIの間にデータを受信し、または第2のTTIの間にデータを送信するための手段とを備える、装置。
【請求項１５】
コンピュータ上で実行されると、請求項１〜１２のいずれか一項に記載の方法を前記コンピュータに実行させる命令を備える、コンピュータプログラム。